(57)【要約】【課題】簡単な構成で且つ低コストで、軸受けの内周部が削れることなく確実に回転軸を軸支できるとともに、該回転軸に対し常時安定したブレーキ力を与えることができる２軸式歩数計を提供すること。【解決手段】本発明の２軸式歩数計１において、振り子式検出部１６を収容したケース本体６は、同軸上の一方の回転軸２９ａが外ケース板１０Ａの取付け孔１０ｃに嵌装された下ブッシュ２２に軸支され、他方の回転軸３０ａが金属板２４の取付け孔２４ｂに嵌装された上ブッシュ２３に軸支されることで、外ケース２０内に回転自在に装着される。この場合、金属板２４から突出した回転軸３０ａの先端面に対し、同軸方向から所定の圧力で押圧しながら接触して該回転軸３０ａの回転を抑制するブレーキ接片２５が、金属板２４上に設けられているため、ケース本体６に対して常時安定したブレーキ力を与えることができる。【選択図】　　図２
2004077298.tif 000002
【特許請求の範囲】
【請求項１】
振り子の振動回数を接点部の接触回数により検出する振り子式検出部と、前記振り子式検出部を収容し保持するとともに、該振り子式検出部を歩数計測可能な姿勢に保持するための錘がその内周の一部に配設された第１のケースと、この第１のケースを回転自在に軸支して収容する第２のケースとを備えて構成された２軸式歩数計において、
前記第１のケースの一方の回転軸の先端面に対し、同軸方向から所定の圧力で押圧しながら接触して該回転軸の回転を抑制するブレーキ手段を、前記第２のケース上に設けたことを特徴とする２軸式歩数計。
【請求項２】
前記所定の圧力は、前記第１のケースが前記錘によって前記振り子式検出部を歩数計測可能な姿勢に保持するための回転位置に回転可能な圧力であることを特徴とする請求項１に記載の２軸式歩数計。
【請求項３】
前記ブレーキ手段は平板形状の弾性作用を有するばね部材であり、その中央部分により前記回転軸の先端面を押圧し、左右両側基端部の少なくとも一方には取付け位置によって前記回転軸に対する押圧力の調整が可能な調整手段を設けて構成されたことを特徴とする請求項１に記載の２軸式歩数計。
【請求項４】
前記振り子式検出部は、前記接点部と接触する前記振り子の電気的接触部分の形状が凸凹面となるように構成されたことを特徴とする請求項１に記載の２軸式歩数計。
【発明の詳細な説明】
【０００１】
【発明の属する技術分野】
本発明は、振り子検出スイッチを用いて歩数を計測表示可能な歩数計に係り、特に上下方向の振動を検知する２軸方式を採用した２軸式歩数計に関する。
【０００２】
【従来の技術】
従来より、歩行（走行）時の歩数を計測する歩数計が数多く提案がなされており、そのセンサの構造によって大別すると機械式と電子式の２種類がある。電子式は小型化に適した構造であることから、一般に歩数計には、主に電子式のものが多く採用されている。
【０００３】
電子式歩数計は、振り子検出スイッチを備え、該振り子検出スイッチを用いて歩数を計測表示可能なもので、詳しくは振り子をばねにより重力に抗して上方に付勢しておき、使用者が歩くとその上下振動に伴い振り子が上下方向に振動し、下方への揺動時に接点部（導電部）が接触すると通電して信号を出力し、これを電子回路で電気的に処理して計測し、ＬＣＤ等の表示部によって表示するように構成したものが最も一般的である。
【０００４】
また、前記振り子検出スイッチによる検知方法としては、該振り子検出スイッチにより一定方向の振動を検知するように構成された１軸方式と、該振り子検出スイッチにより常に上下方向の振動を検知するように構成された２軸方式とがある。
【０００５】
ところで、２軸方式を採用した歩数計の構造を簡単に説明すると、この種の歩数計は、上述した振り子検出スイッチを備えた振り子検出部と、該振り子検出部を収納し保持するとともに、振り子式検出部を歩数計測可能な姿勢に保持するための錘がその内周の一部に配設されたケースと、このケースを回転自在に軸支して収容する外ケース（筐体）とで主に構成されている。
【０００６】
このような歩数計においては、前記ケースが前記外ケースに回転自在に軸支されており、また該ケースの内周の一部には錘が配設されているので、該歩数計の使用時には、外ケースの振動に伴い該ケース自体が回転することになる。したがって、ケース内部に収容された振り子検出スイッチによる振動検出を、精度良く行うためにはケース自体の回転を抑制する必要がある。
【０００７】
このため、従来技術では、外ケースに軸支され、該外ケース面から突出するケースの回転軸近傍の外ケース面上に片持ちバネが設けられ、該肩持ちバネの基端部が該回転軸の先端部を押圧することにより、回転軸に対してブレーキ力をかけて該ケースの回転を抑制するようにしていた。
【０００８】
また、電子式歩数計の先行技術としては、例えば上下逆の姿勢や傾いた場合であっても正確に歩数を計測でき、装着姿勢及び装着箇所の自由度を拡大するとともに安価で消費電力を少なくする目的とした、特願平１１−３１６８１２号公報に記載の歩数計がある。
【０００９】
【発明が解決しようとする課題】
しかしながら、上述した従来の２軸方式を採用した歩数計では、一端が外ケース上に固定され、他端が外ケース上に突出する回転軸に当接した片持ち式のばねを用いているため、該回転軸にかかる押圧力に伴い、該回転軸を回転自在に挿通している軸受け部の内周面にも該回転軸の接触により力が加わってしまうことになる。このため、該歩数計の使用頻度が多くなると、該回転軸との接触により軸受け部の内周部分が削れてしまい、その削れたものが軸受け近傍に溜まってしまったり飛散したりすると、回転軸と片持ちばねとの間の電気的導通が遮断されてしまい、結果として本来の歩数計計測に悪影響を及ぼしてしまうといった虞れがあった。また、回転軸が片持ちばねによる押圧力により傾いてしまうと、回転軸の先端面が片持ちばねの接触面に対してずれてしまうことになるため、回転軸に対するブレーキ力が不安定になってしまうといった不都合もあった。
【００１０】
また、前記特願平１１−３１６８１２号公報に記載の従来の歩数計では、２軸方式を採用しているが、上記問題点を解消するための技術については何ら開示されてはおらず、２軸式歩数計において、上記問題を解決する技術が望まれている。
【００１１】
そこで、本発明は上記問題点に鑑みてなされたもので、簡単な構成で且つ低コストで、軸受けの内周部が削れることなく確実に回転軸を軸支できるとともに、該回転軸に対し常時安定したブレーキ力を与えることができる２軸式歩数計を提供することを目的とする。
【００１２】
【課題を解決するための手段】
請求項１に記載の発明の２軸式歩数計は、振り子の振動回数を接点部の接触回数により検出する振り子式検出部と、前記振り子式検出部を収容し保持するとともに、該振り子式検出部を歩数計測可能な姿勢に保持するための錘がその内周の一部に配設された第１のケースと、この第１のケースを回転自在に軸支して収容する第２のケースとを備えて構成された２軸式歩数計において、前記第１のケースの一方の回転軸の先端面に対し、同軸方向から所定の圧力で押圧しながら接触して該回転軸の回転を抑制するブレーキ手段を、前記第２のケース上に設けたことを特徴とするものである。
【００１３】
請求項２に記載の発明の２軸式歩数計は、請求項１に記載の２軸式歩数計において、前記所定の圧力は、前記第１のケースが前記錘によって前記振り子式検出部を歩数計測可能な姿勢に保持するための回転位置に回転可能な圧力であることを特徴とするものである。
【００１４】
請求項１及び請求項２の発明によれば、前記ブレーキ手段を設けたことにより、第１のケースの回転軸を傾けてしまうことなく、該回転軸に対し常時安定したブレーキ力を与えることができる。これにより、回転軸の軸受け部も削られることなく電気的導通状態も常時満足でき、安定したブレーキ力も得られるので歩数計測の精度向上に大きく寄与する。
【００１５】
請求項３に記載の発明の２軸式歩数計は、請求項１に記載の２軸式歩数計において、前記ブレーキ手段は平板形状の弾性作用を有するばね部材であり、その中央部分により前記回転軸の先端面を押圧し、左右両側基端部の少なくとも一方には取付け位置によって前記回転軸に対する押圧力の調整が可能な調整手段を設けて構成されたことを特徴とするものである。
【００１６】
請求項３の発明によれば、上記請求項１及び請求項２の発明と同様に作用して同様の効果が得られる他に、簡単な構成でブレーキ手段を構成できるので低コスト化を図ることができるとともに、簡単な方法で該ブレーキ手段の押圧力の調整を行うことができるので、製造工程の簡易化及び歩数計測精度向上に大きく寄与する。
【００１７】
請求項４に記載の発明の２軸式歩数計は、請求項１に記載の２軸式歩数計において、前記振り子式検出部は、前記接点部と接触する前記振り子の電気的接触部分の形状が凸凹面となるように構成されたことを特徴とするものである。
【００１８】
請求項４の発明によれば、上記請求項１及び請求項２の発明と同様に作用して同様の効果が得られる他に、２軸式歩数計内部において湿気が多い場合でも振り子の電気的接触部分が接点部にくっついてしまうこともなく確実に電気的接触動作を実行できるので、歩数計測の精度向上に大きく寄与する。
【００１９】
【発明の実施の形態】
以下、発明の実施の形態について図面を参照して説明する。
第１の実施の形態：
図１乃至図６は本発明に係る２軸式歩数計の第１の実施の形態を示し、図１は該２軸式歩数計の主要構成部材を示す分解組立て斜視図、図２は図１に示す外ケースの構成を示す分解斜視図、図３は図２に示すケース本体の構成を示す分解斜視図、図４は該２軸式歩数計の振り子感度調整を説明するものでケース本体のアームバネの取付位置調整状態を示す説明図、図５は図３の振り子部の導電ゴムの構成を示す斜視図であり、図５（ａ）は通常使用されている角形状の導電ゴムを示し、図５（ｂ）は接触面に複数の突起形状の凸凹部を設けた導電ゴムを示し、図５（ｃ）は接触面に複数の溝形状の凸凹部を設けた導電ゴムを示している。また図６は本実施の形態の特徴となるブレーキ接片の取付け構造を説明するための２軸式歩数計の断面図である。
【００２０】
本実施の形態は、腰に付けるタイプの２軸式歩数計よりも、小型化で且つファッション性がありユーザに注目されている腕時計式タイプに、本発明を採用して実施したものであり、勿論、本発明はこれに限定されるものではなく、腰に付けるタイプのものやその他（例えば携帯型等）の２軸式歩数計に搭載しても良い。
【００２１】
本実施の形態の２軸式歩数計１は、上述したように腕時計式タイプに構成したもので、図１に示すように、主にハウジング２，該ハウジング２内に配設される外ケース２０，歩数計測等の各種表示を行う液晶表示部（以下、ＬＣＤと称す）７，外ケース２０等の各種構成部品を下部から覆うとともに、前記ハウジング２に固定される裏蓋５等を備えて構成されている。
【００２２】
ハウジング２は、軽量化に最適な合成樹脂を用いて腕時計タイプの外観を主に形成するもので、内部には円形状の開口が設けられ、この開口の上部には透明なガラス３を有する回転ベゼル４が回転可能に取付けられている。なお、図示はしないがハウジング２の側面側には、セットボタン，リセットボタン、表示切り替えボタン等の各種ボタンが設けられている。
【００２３】
ハウジング２の内部には、図１に示すように、ＬＣＤ７が前記ガラス３に対応するように内側から配され、次いでインターコネクタ８，下部に負極電池接片１０Ａが配された外ケース２０，電池９，正極電池接片１０，裏蓋パッキン１４の順序で積層するように収容した状態で裏蓋５の取付穴５ａを介して止めねじ１５により対応するハウジング２のねじ孔（図示せず）に螺合することにより、該裏蓋５をハウジング２の下部に固定している。
【００２４】
前記ＬＣＤ７は、外ケース２０内の主要電子回路に電気的に接続されており、上記の如く歩数計測等の各種表示を行うものである。このＬＣＤ７は、ハウジング２の内側に配設され、その下部には緩衝材である例えばゴム形状のインターコネクタ８を介して外ケース２０が配されるようになっている。
【００２５】
外ケース２０は、主要構成部材であり、詳細な構成については後述するが、内部に歩数計測するのに必要な振り子式検出部１６や該１軸腕時計式歩数計の各種制御を行う電子回路を有する電装基板２８（図２参照）等の主要構成部材を内装して構成されている。
【００２６】
この外ケース２０の底面は、図示はしないが電池９を位置決め可能な程度に凹部が設けられており、この凹部には前記電装基板と電気的に接続する負極電池接片１０Ａが配設されている。組立て時には、この負極電池接片１０Ａに電池９が配された状態で、絶縁体である２つのインシュレータ１１ａ，１１ｂ，通電接片１２を挟持するように正極電池接片１０の取付孔１０ａを介して止めねじ１３にて外ケース２０の底面の取付孔（図示せず）に螺合することにより、該正極電池接片１０を前記ケース本体６の底面に固定している。なお、２つのインシュレータ１１ａ，１１ｂは緩衝材としての機能も有しており、また通電接片１２は正極電池接片１０と外ケース２０内の電装基板とを電気的に接続するものである。
【００２７】
また、裏蓋パッキン１４は、弾性作用を有するゴム部材で構成されたもので、裏蓋５をハウジング２に取付けた際に、水の進入を防止する防水効果を得るものである。
【００２８】
次に、本実施の形態の２軸式歩数計１に搭載された外ケース２０の構成を図２を参照しながら詳細に説明する。
【００２９】
外ケース２０は、図２に示すように、接片１０ｅを有する外ケース板（負極電池接片）１０Ａと、振り子検出部１６を収納し保持するとともに、振り子式検出部１６を歩数計測可能な姿勢に保持するための錘６ｅ（図３参照）がその内周の一部に配設されたケース本体６と、該ケース本体６を回転自在に収容するケース２１と、該ケース２１の収容部２１Ａの図中下方を塞ぐように配設される金属板２４と、外ケース板１０Ａの取付け孔１０ｃに嵌装され、ケース本体６の回転軸２９ａの軸受けとなる下ブッシュ２２と、前記金属板２４の取付け孔２４ｂに嵌装され、ケース本体６の回転軸３０ａ（図３参照）が挿通される軸受けとしての上ブッシュ２３と、金属板２４に嵌装された上ブッシュ２３を介して突出したケース本体の回転軸３０ａ（図３参照）に所定の押圧力で当接してケース２１内でケース本体６の回動を抑制するブレーキ手段としてのブレーキ接片２５と、該ブレーキ接片２５を金属板２４上に固定するための２つのセットピン２６ａ，２６ｂと、リング形状の絶縁体及び緩衝材としての作用を有するインシュレータ２７と、電子回路等を搭載した電装基板２８とで構成されている。
【００３０】
ケース２１は、ケース本体６を回転自在に収容する収容部２１Ａを備えて構成され、ケース本体６の回転軸を軸支し且つ収容した状態で該収容部２１Ａを塞ぐように上下側から外ケース板１０Ａ，金属板２４が取付けられるようになっている。
【００３１】
この場合、ケース２１の一方側の外周縁部には複数の突起形状の位置決め部２１ｂが設けられており、この位置決め部２１ｂに外ケース板１０Ａの所定位置に設けられた位置決め孔１０ｂを嵌入することにより、該外ケース板１０Ａがケース２１の一方側に装着される。また、ケース２１の他方側の外周縁部にも複数の突起形状の位置決め部２１ａが設けられており、この位置決め部２１ａに金属板２４の所定位置に設けられた位置決め孔２４ａを嵌入することにより、該金属板２４がケース２１の他方側に装着されることになる。
【００３２】
したがって、ケース本体６は、同軸上の一方の回転軸２９ａが外ケース板１０Ａの取付け孔１０ｃに嵌装された下ブッシュ２２に軸支されると同時に、他方の回転軸３０ａが金属板２４の取付け孔２４ｂに嵌装された上ブッシュ２３に軸支されることにより、外ケース２０内において回転自在に収容され取付けられている。
【００３３】
なお、本実施の形態においては、図示はしないが外ケース２０のケースの外周の一部に凸部または凹部が設けられ、これに対応してハウジング２の内周面に凹部または凸部が設けられており、これらが嵌合することによって、ハウジング２への嵌入の際の外ケース２０の位置決めが容易に行うことができるようになっている。
【００３４】
また本実施の形態の特徴となる前記ブレーキ接片２５の構成及び取付け構造については後述する。
【００３５】
次に、図２に示すケース本体６の構成を図３乃至図５を参照しながら詳細に説明する。
【００３６】
本実施の形態の２軸式歩数計１は、歩数の計測精度を向上することができ、小型・軽量化及び低コスト化を図る改良もなされている。
【００３７】
具体的には、ケース本体６は、図３に示すように、円形状の上板６Ａと、主にケース本体６の外観を構成するケース６Ｂと、このケース６Ｂの所定の配置位置に配設された振り子式検出部１６と、センサ基板１７とを備えて構成される。
【００３８】
上板６Ａは、前記振り子式検出部１６を内装した状態でケース６Ｂの上側に取付けられる部材であり、中央には回転軸２９ａを挿通するための孔６ａ１が設けられている。
【００３９】
ケース本体６が外ケース２０内で回転可能とするために軸センサ２９，３０が設けられ、該軸センサ２９の軸（回転軸）２９ａの両端部は、上板６Ａの孔６ａ１及びケース６Ｂの回転軸受け６ａに嵌装されるようになっている。また、軸センサ３０の軸（回転軸）３０ａの両端部は、上ブッシュ２３及びケース６Ｂの図示しない回転軸受け（前記回転軸受け６ａの逆側に配置されたもの）に嵌装されるようになっている。これにより、上板６Ａは、該上板の面上から軸２９ａが突出した状態でケース６Ｂに取付けられることになる。
なお、軸センサ２９のセンサ接片２９ｂは、軸センサ３０のセンサ接片３０ｂ及びセンサ基板１７の配線パターン１７ａと電気的に接続され、該ケース本体６が回転してもその検出信号を電装基板２８の電子回路へ確実に出力するためのものである。
【００４０】
ケース６Ｂは、図３に示すように、前記振り子式検出部１６を内部に保持固定するホルダ部材であり、内部の所定領域には振り子１６ａが回動可能な空間と、中央部に設けられ２軸方式構成時に使用する回転軸受け６ａと、周面内側の一部に設けられた振り子軸６ｂと、該振り子軸６ｂと回転軸受け６ａとの間に介在し、アームバネ調整部１６ｄがスライド可能に配設される取付用部６ｃと、前記振り子１６ａの接点部（導電部）とは逆側の背面部が当接する係合ピン６ｄと、その内周の一部に前記取付用部６ｃと共に設けられ、外ケース２０内において振り子式検出部１６を歩数計測可能な姿勢に保持するための錘６ｅと、を設けて構成されている。
【００４１】
係合ピン６ｄには、図２，図４に示すように円筒形状の弾性部材であるクッションチューブ１８が嵌装されるようになっている。つまり、このクッションチューブ１８には、振り子式検出部１６の振り子１６ａの背面部（図示せず）が当接して上死点で静止することになるが、このクッションチューブ１８を設けたことにより、このときの振り子１６ａの振動やぶれを吸収して、常に安定した回動動作、即ち歩数カウント動作を実行することができるようになっている。
【００４２】
振り子式検出部１６は、前記振り子軸６ｂに振り子軸受け１６ｃを嵌入し装着することにより、該振り子軸６ｂを軸にして振り子１６ａが回動可能となるようにケース６Ｂ内に取付けられる。
【００４３】
この振り子式検出部１６は、真鍮等の材質で板状に形成され、振り子軸６ｂ近傍からアーム形状に延設され先端側が幅広形状の振り子１６ａと、該振り子１６ａの先端側の幅広部分に積層される中板１６ｇ，押え板１６ｆと、振り子１６ａのアーム形状部分の基端部に設けられた振り子軸受け１６ｃを有する筒状の振り子固定パイプ１６ｂと、振り子１６ａの幅広部分の先端側面に設けられた接点部（導電部）である導電ゴム１６ｈと、振り子１６ａの幅広部分上に設けられた図示しない円形状の錘を装着するための第１及び第２の振り子ピン１６ｉ，１６ｊと、該振り子１６ａを常に上方向（係合ピン６ｄ側方向）へと付勢するアームバネ１６ｋとを含んで構成されている。
【００４４】
アームバネ１６ｋは、線形状のばねであり、例えば該アームバネの径が０．１乃至０．１３ｍｍのものが用いられている。また、前記振り子１６ａの先端部の重さが、１．４ｇ乃至１．６ｇとなるように振り子ピン１６ｉ，１６ｊに錘が装着されるようになっている。さらに、この振り子錘と、ケース本体６の錘６ｅとの比率が、振り子錘１：ケース本体の錘４となる関係を満足するようにバランスが保たれている。この場合、錘６ｅとして高比重材料のもので構成すれば、上記バランス特性が得られることになる。これにより、通常歩行はもとよりジョキングについてもある程度の追従性が確保でき、歩数検出精度向上に寄与している。
【００４５】
また、前記アームバネ１６ｋの基端部が係合するアームバネ調整部１６ｄが振り子１６ａの下側に配されるように、ケース６Ｂの取付用部６ｃにスライド可能に装着されている。
【００４６】
このアームバネ調整部１６ｄにおいては、図３，図４に示すように、ケース６Ｂの所定位置に設けられたガイドネジ１９が摺動可能なガイド溝１６ｎが基端部に設けられ、また中央部分の下端面にはラックギア１６ｅが形成されている。また、前記ガイド溝１６ｎとは逆側の基端部分には、アームバネ１６ｋの基端部を係止する２つの係合部６ｉ，６ｈが並設されている。つまり、アームバネ１６ｋの先端部を上記係合部６ｉ，６ｈのいずれかに係合させることにより、該アームバネ１６ｋの付勢力を簡単に調節することができるようになっている。
【００４７】
また、前記ラックギア１６ｅ近傍のケース６Ｂには、調節孔６ｇ（図４参照）が設けられており、この調節孔６ｇには、該ラックギア１６ｅと係合するピニオンギア５０ａを先端部に形成された調整治具５０が嵌入されるようになっている。
【００４８】
つまり、本実施の形態では、製造時において、振り子式検出部１６による検出感度調整を容易にし、さらにばらつきを少なくするために、ラックギアとピニオンギアとを採用し、アームバネ１６ｋの固定位置を左右自在に微調整できるように構成されており、また、固定位置を少なくとも２カ所で簡単に取り外し変更可能な構成となっている。これにより、振り子感度調整時において、複数種のアームバネ１６ｋを装着することができ、またこの場合のアームバネ１６ｋの長さ及び線形の違いを容易に吸収することができるので、最適な振り子感度調整を行うことができる。
【００４９】
また、前記振り子１６ａの導電ゴム１６ｈが当接するケース６Ｂの位置には、図４に示すように前記センサ基板１７が配設されている。このセンサ基板１７の上面には前記導電ゴム１６ｈとの接触を検出するための配線パターン１７ａが配されており、前記振り子１６ａの回動に伴い、導電ゴム１６ｈと当接して接触すると、通電してこれを検出し、電装基板２８の電子回路へと検出信号を出力するようになっている。
【００５０】
すなわち、外ケース２０内において、錘６ｅにより振り子式検出部１６を歩数計測可能な姿勢となるようにケース本体６の回転が規制され、つまり、常時この錘６ｅが回転の最下端に配置されることになる。このとき、ケース本体６においては、振り子１６ａがアームバネ１６ｋにより重力に抗して常に上方（係合ピン６ｄ側方向）に付勢されており、使用者が歩くとその上下振動に伴い振り子１６ａが上下方向（係合ピン６ｄ側方向及びセンサ基板１７側方向）に振動し、下方への揺動時に導電ゴム１６ｈがセンサ基板１７の配線パターン１７ａに接触することにより、上記の如く、該センサ基板１７により図示しない電装基板の電子回路へと出力された検出信号が、該電子回路にて電気的に処理がなされて計測され、図１に示すＬＣＤに計測結果が表示されることになる。
【００５１】
また、本実施の形態においては、例えば２軸式歩数計１内部の空気が湿気が多い場合を想定すると、この湿気により振り子１６ａの導電ゴム１６ｈがセンサ基板１７の配線パターン１７ａに対して接触した際に貼り付いてしまう虞れが考えられるが、本実施の形態では、これを防止するための改良が成されている。
【００５２】
つまり、通常の導電ゴム１６ｈは、図５（ａ）に示すように接触面が平面形状で構成されたものであるが、例えば図５（ｂ）に示すように、接触面１６Ｌ１が複数の突起形状の凸凹部を設けて凸凹形状（シボともいう）に形成された導電ゴム１６Ｌや、あるいは、図５（ｃ）に示すように接触面１６Ｍ１が複数の溝形状の凸凹部を設けて凸凹形状に形成された導電ゴム１６Ｍを用いることにより、湿気が多い場合でも配線パターン１７ａ上に貼り付くことはなく、確実に電気的接触を行うことができるようになっている。
【００５３】
ところで、本実施の形態の２軸式歩数計１では、簡単な構成で且つ低コストで、軸受けの内周部が削れることなく確実に回転軸を軸支できるとともに、該回転軸に対し常時安定したブレーキ力を与えるための改良がなされている。
【００５４】
具体的には、図２，図６に示すように、金属板２４に嵌装された上ブッシュ２３を介して突出したケース本体の回転軸３０ａに、所定の押圧力で該回転軸３０ａと同軸方向（ケース本体面に対して鉛直方向）から当接して外ケース２１内でケース本体６の回動を抑制するブレーキ手段としてのブレーキ接片２５が設けられている。
【００５５】
このブレーキ接片２５は、平板ばね形状で鉛直方向に所定の押圧力を有する弾性作用を備えて形成されたもので、左右両端側にはセットピン２６ａ，２６ｂにて外ケース２０の金属板２４面上にかしめるための取付け孔２５ａ，２５ｂが設けられている。
【００５６】
また、ブレーキ接片２５の中央部分には、ケース本体６の回転軸３０ａ（図６参照）を押圧するための押圧部２５ｃが設けられ、かしめ固定した場合には、該押圧部２５ｃにて回転軸３０ａを所定の押圧力で当接することにより、外ケース２０内においてケース本体６の回転を抑制する。
【００５７】
また、一方の取付け孔２５ｂは長穴形状となっており、セットピン２６ｂによる固定位置を調節することで回転軸３０ａへの押圧力を調整可能である。
【００５８】
また、本実施の形態では、ケース本体６の一方の回転軸３０ａについては、上述したように回転軸３０ａが金属板２４の取付け孔２４ｂに嵌装された上ブッシュ２３に挿通された状態で軸支されており、また、他方の同軸上に配される回転軸２９ａについては、回転軸２９ａが外ケース板１０Ａの取付け孔１０ｃに嵌装された下ブッシュ２２に回動可能に当接された状態で軸支されるようになっている。
【００５９】
したがって、上記構成によれば、ケース本体６の回動軸３０ａと同軸上の回動軸２９ａを下ブッシュ２２にて当接しながら軸支すると同時に、前記ブレーキ接片２５の押圧部２５ｃにより金属板２４面に対して鉛直方向（回動軸方向）から回動軸３０ａを押圧することにより、これらの回動軸２９ａ，３０ａを傾けることなく確実に軸支することができるため、軸受け部も削れることなく、常時安定したブレーキ力を得ることが出来る。また、軸受け部も削れることがないので、回転軸３０ａ，ブレーキ接片２５との電気的導通を常時確保することが可能となり、該２軸式歩数計１内の電気的導通ラインを遮断することもなく、安定した歩数計測を行うことが可能となる。
【００６０】
なお、ケース本体６の回転軸２９ａ，３０ａの軸受け部として上下ブッシュ２２，２３を用いたことについて説明したが、これら上下ブッシュ２２，２３の材質として摩耗や剥がれ等の少ない材質で構成すればより歩数計測機能の安定化に関して有効である。
したがって、本実施の形態によれば、簡単な構成で且つ低コストで、軸受けの内周部が削れることなく確実に回転軸を軸支できるとともに、該回転軸に対し常時安定したブレーキ力を与えることができる２軸式歩数計を構成することが可能である。
第２の実施の形態：
ところで、本発明の２軸式歩数計１は、前記ブレーキ手段として平板ばね形状のブレーキ接片２５だけでなく、その他の押圧部材を用いて構成することも可能である。このような実施の形態を図７に示す。
【００６１】
図７は本発明に係る２軸式歩数計の第２の実施の形態を示し、該２軸式歩数計の主要構成部材を示す断面図である。なお、図７は、前記第１の実施の形態と同様な構成要素については同一の符号を付して説明を省略し、異なる部分のみを説明する。
【００６２】
本実施の形態では、前記第１の実施の形態のブレーキ接片２５に代えて、垂直ブラシ４０ａにより回転軸３０ａを同軸方向から押圧してケース本体６のブレーキ力を得るブラシブレーキ部４０を設けて構成したことが特徴である。
【００６３】
具体的には、図７に示すように、ブラシブレーキ部４０は、例えば有底の円筒形状した本体内部の内周面に、回動軸３０ａに対して略鉛直となる方向に所定の長さ形状で複数配設された水平ブラシ４０ｂと、前記本体の上面の内面に、回動軸３０ａに対して同軸方向に所定の長さ形状で複数配設された垂直ブラシ４０ａと、前記本体を金属板２４面上の所定位置に固定するための一対の取付け部４０ｃとを備えて構成されている。
【００６４】
前記水平ブラシ４０ｂは、回動軸３０ａの周面上に接触して所定の押圧力がかかる程度の長さで構成されている。また、前記垂直ブラシ４０ａも、同様に回転軸３０ａの先端面上に接触して前記ブレーキ接片２５と略同様な押圧力が得られる程度の長さで構成されている。、
前記ブラシブレーキ部４０を金属板２４上に取付ける場合には、該ブラシブレーキ本体を回動軸３０ａの上部方向から押し下げるようにして配置し、一対の取付け部４０ｃ上に設けられた取付け孔を介してねじ４１にて螺合することにより、回動軸３０ａに対して所定の押圧力をかけた状態にて該ブラシブレーキ部４０を金属板２４上に固定する。
【００６５】
上記構成により、ブラシブレーキ部４０の垂直ブラシ４０ａによって、前記第１の実施の形態と同様に回動軸３０ａに対し軸方向から所定の押圧力をかけることができ、また同時に水平ブラシ４０ｂによっても所定の押圧力がかけられているので、これらにより、回転軸に対して常に安定したブレーキ力を与えることが可能である。
その他の構成及び作用については、前記第１の実施の形態と同様である。
【００６６】
したがって、本実施の形態によれば、ブレーキ手段としてブレーキ接片２５に代えてブラシブレーキ部４０を設けて構成した場合でも、前記第１の実施の形態と略同様の効果を得ることが可能である。
【００６７】
なお、本発明は、上記第１及び第２の実施の形態に限定されるものではなく、これらの実施の実施の形態の組み合わせや応用も本発明に適用される。
【００６８】
また、前記第１及び第２の実施の形態においては、ブレーキ手段として、回動軸３０ａに対し同軸方向からこれを押圧してケース本体６の回転を抑制するブレーキ手段として、平板ばね形状のブレーキ接片２５やブラシブレーキ部４０を用いた構成について説明したが、例えば回動軸３０ａに対し水平方向から所定の圧力で押圧することにより回動軸３０ａの傾きを防止する他のブレーキ手段を用いて構成しても良い。すなわち、回転軸３０ａを金属板２４に対して鉛直に保ち且つ該回動軸３０ａと接触して所定のブレーキ力が得られるものであれば、歩数計測精度向上に大きく寄与できる。
【００６９】
【発明の効果】
以上、説明したように本発明によれば、簡単な構成で且つ低コストで、軸受けの内周部が削れることなく確実に回転軸を軸支できるとともに、該回転軸に対し常時安定したブレーキ力を与えることができる２軸式歩数計を提供することが可能となる。
【図面の簡単な説明】
【図１】本発明の２軸式歩数計の第１の実施の形態を示し、該２軸式歩数計の主要構成部材を示す分解組立て斜視図。
【図２】図１に示す外ケースの構成を示す分解斜視図。
【図３】図２に示すケース本体の構成を示す分解斜視図。
【図４】２軸式歩数計の振り子感度調整を説明するものでケース本体のアームバネの取付位置調整状態を示す説明図。
【図５】図３の振り子部の導電ゴムの構成を示す斜視図。
【図６】本実施の形態の特徴となるブレーキ接片の取付け構造を説明するための２軸式歩数計の断面図。
【図７】本発明の２軸式歩数計の第２の実施の形態を示し、該２軸式歩数計の主要構成部材を示す断面図。
【符号の説明】
１…２軸式歩数計（２軸腕時計式歩数計）、
２…ハウジング、
３…ガラス、
４…回転ベゼル、
５…裏蓋、
６…ケース本体、
６Ａ…上板、
６Ｂ…ケース、
６ａ…回転軸受け、
６ａ１…孔、
６ｂ…振り子軸、
６ｃ…取付用部、
６ｄ…係合ピン、
６ｅ…錘、
６ｇ…調節孔、
７…ＬＣＤ、
８…インターコネクタ、
９…電池、
１０…正極電池接片、
１０ａ…取付穴、
１０Ａ…負極電池接片（外ケース板）、
１１ａ，１１ｂ…インシュレータ、
１２…通電接片、
１３，１５…止めねじ、
１４…裏蓋パッキン、
１６…振り子式検出部、
１６ａ…振り子、
１６ｂ…振り子固定パイプ、
１６ｃ…振り子軸受け、
１６ｄ…アームバネ調整部、
１６ｅ…ラックギア、
１６ｆ…押え板、
１６ｇ…中板、
１６ｈ…導電ゴム、
１６ｉ，１６ｊ…振り子ピン、
１６ｋ…アームバネ、
１６Ｌ，１６Ｍ…導電ゴム（凸凹面形状）、
１６ｎ…ガイド溝、
１７…センサ基板、
１７ａ…配線パターン、
１８…クッションチューブ、
１９…ガイドネジ、
２０…外ケース、
２１…ケース、
２２…下ブッシュ、
２３…上ブッシュ、
２４…金属板、
２５…ブレーキ接片、
２５ａ…取付け孔、
２５ｂ…取付け孔（長穴）、
２５ｃ…押圧部、
２６ａ，２６ｂ…ブレーキ接片セットピン、
２８…電装基板、
２９，３０…軸センサ、
２９ａ，３０ａ…回転軸、
４０…ブラシブレーキ部、
４０ａ…垂直ブラシ、
４０ｂ…水平ブラシ、
５０…調整治具、
５０ａ…ピニオンギア。
【図１】
2004077298.tif 000003
【図２】
2004077298.tif 000004
【図３】
2004077298.tif 000005
【図４】
2004077298.tif 000006
【図５】
2004077298.tif 000007
【図６】
2004077298.tif 000008
【図７】
2004077298.tif 000009